(57)【要約】      （修正有）【課題】オーガンジー調の薄手の編織物からなる襞のないカーテンであっても、揺れることなく保持可能なカーテンを提供し、シワや折り目も生じず、使用される所定の製品サイズとして梱包可能なカーテンロール梱包体を提供する。【解決手段】襞のない平板状のカーテン地の上部に帯状の芯地２、３を二重に配設して、カーテンフック５を差込可能な空隙部４を断続的に複数設けるようにして縫合すると共に、カーテン地の両側部の鉛直方向の複数箇所に付着部材７を装着し、隣り合うカーテン地の前記付着部材同士、もしくは該付着部材と壁体等に設置する第二の付着部材８とを吸着する。また、二重の芯地を芯体としてロール状に丸めたカーテンロールとし、内部を透視可能なドームを形成したブリスター包装容器で梱包する。【選択図】図１
0003119474.tif 000002
【実用新案登録請求の範囲】
【請求項１】
オーガンジー調の薄い編織物からなるカーテンであって、
襞のない平板状のカーテン地の上部に帯状の芯地を一重もしくは二重に配設して、カーテンフックを差込可能な空隙部を断続的に複数設けるようにして縫合すると共に、カーテン地の両側部の鉛直方向の複数箇所に付着部材を装着し、
隣り合うカーテン地の前記付着部材同士、もしくは該付着部材と壁体等に設置する第二の付着部材とが吸着する構成としていることを特徴とするカーテン。
【請求項２】
前記付着部材がカーテン地に縫い込んだ磁石もしくは面ファスナ式留め具であることを特徴とする請求項１に記載のカーテン。
【請求項３】
オーガンジー調の薄い編織物からなる襞のない平板状のカーテン地の上部に帯状の芯地を一重もしくは二重に配設して、カーテンフックを差込可能な空隙部を断続的に複数設けるようにして縫合すると共に、前記芯地を芯体として楕円ロール状に丸めたカーテンロールを一体的に梱包したことを特徴とするカーテンロール梱包体。
【請求項４】
オーガンジー調の薄い編織物からなる襞のない平板状のカーテン地の上部に帯状の芯地を一重もしくは二重に配設して、カーテンフックを差込可能な空隙部を断続的に複数設けるようにして縫合すると共に、前記芯地に、その長手方向に複数の切断線を設け、前記二重の芯地を芯体としてロール状に丸める際に、前記切断線を介して円筒状に丸めたカーテンロールとし、該カーテンロールを一体的に梱包したことを特徴とするカーテンロール梱包体。
【請求項５】
前記カーテンロールを収容し、内部を透視可能なドームを形成したブリスター包装容器で梱包していることを特徴とする請求項３または４に記載のカーテンロール梱包体。
【考案の詳細な説明】
【技術分野】
【０００１】  本考案は、カーテンおよびカーテンロール梱包体に係り、特に室内にすっきりとした清涼感を与えると共に、シワや折り目が生じずに梱包可能なカーテンおよびカーテンロール梱包体に関するものである。
【背景技術】
【０００２】  従来、室内で使用するカーテンは襞を有していると共に、梱包する際には、折り畳んだ状態で梱包されている。そのために、梱包された状態から開封して広げた時に、カーテン地にシワが生じていることがあり、カーテンを吊り下げる前にそのシワを修正する必要がある。【０００３】  また、襞のあるカーテンでは、カーテン地表面の模様が連続した絵柄とはならないので、比較的単調な絵柄や模様が装飾されている。しかし、襞のない平板状のカーテンの場合は、その表面に連続した風情のある絵柄を装飾して、装着する室内の雰囲気をかもし出すことができる。さらに、開閉する２枚のカーテン地からなる両開きカーテンであっても、対向する２枚のカーテン地を密着させて、２枚の絵柄が連続した模様を現出するような構成とすることができる。【０００４】  そのために、両開きカーテンに取り付けてカーテンを閉めたときの合わせ目のスタイルを整えるためにカーテン合わせ具を備えるカーテンも既に出願されている。（例えば、特許文献１参照）。
【特許文献１】  登録実用新案第３０９０３８２号公報
【考案の開示】
【考案が解決しようとする課題】
【０００５】  一般にカーテンは、その上部に芯地が装着されており、カーテン地の強度を増加すると共に、カーテンレールに装着する際の吊り下げ用のフックを装着する部分を設けている。【０００６】  そのために、カーテン地の縦方向を軸方向として丸める際には、前記芯地部分が丸める際の邪魔となり、小さく丸めることは困難である。また、折り畳んだ状態で梱包すると、シワや折り目が生じることがある。特に、薄地の編織物からなる、襞のない平板状のカーテンの場合には、シワや折り目が生じ易く、さらにそのシワや折り目が取り難いために、絵柄や模様が歪んでしまい、風情を台無しにしてしまうという問題がある。【０００７】  また、カーテン地では高級品になるほど、薄手であり、しかも風情のある模様がプリントされているので、室内ですっきりとした清涼感を得るには、その薄手のカーテン地を揺らすことなく保持していたい。さらにオーガンジー調の高級な薄手のカーテン地は、一旦シワや折り目が生じるとその商品価値が低下してしまうという問題もある。【０００８】  本考案の目的は、上記問題点に鑑み、オーガンジー調の薄手の編織物からなる襞のないカーテンであっても、揺れることなく保持可能なカーテンを提供し、シワや折り目も生じず、使用される所定の製品サイズとして梱包可能なカーテンロール梱包体を提供することである。
【課題を解決するための手段】
【０００９】  上記の目的を達成するために請求項１に係る考案は、オーガンジー調の薄い編織物からなるカーテンであって、襞のない平板状のカーテン地の上部に帯状の芯地を一重もしくは二重に配設して、カーテンフックを差込可能な空隙部を断続的に複数設けるようにして縫合すると共に、カーテン地の両側部の鉛直方向の複数箇所に付着部材を装着し、隣り合うカーテン地の前記付着部材同士、もしくは該付着部材と壁体等に設置する第二の付着部材とが吸着する構成としていることを特徴としている。【００１０】  上記の構成を有する請求項１に係る考案によれば、隣り合う付着部材同士、あるいはカーテンの付着部材と壁体等の第二の付着部材とを吸着させることで、オーガンジー調の薄手のカーテンであっても、カーテン地を揺らさずに保持しておくことができる。【００１１】  請求項２に係る考案は、前記付着部材がカーテン地に縫い込んだ磁石もしくは面ファスナ式留め具であることを特徴としている。【００１２】  上記の構成を有する請求項２に係る考案によれば、付着・非付着操作を片手でもワンタッチで行うことが可能となり、カーテンの開け閉めが容易となる。【００１３】  請求項３に係る考案は、オーガンジー調の薄い編織物からなる襞のない平板状のカーテン地の上部に帯状の芯地を一重もしくは二重に配設して、カーテンフックを差込可能な空隙部を断続的に複数設けるようにして縫合すると共に、前記芯地を芯体として楕円ロール状に丸めたカーテンロールを一体的に梱包したことを特徴としている。【００１４】  上記の構成を有する請求項３に係る考案によれば、比較的固い芯地を芯体としてそのままロール状に丸めるので、シワや折り目も生じ易い薄い編織物であっても、シワや折り目も生じない梱包体とすることができる。【００１５】  請求項４に係る考案は、オーガンジー調の薄い編織物からなる襞のない平板状のカーテン地の上部に帯状の芯地を一重もしくは二重に配設して、カーテンフックを差込可能な空隙部を断続的に複数設けるようにして縫合すると共に、前記芯地に、その長手方向に複数の切断線を設け、前記二重の芯地を芯体としてロール状に丸める際に、前記切断線を介して円筒状に丸めたカーテンロールとし、該カーテンロールを一体的に梱包したことを特徴としている。【００１６】  上記の構成を有する請求項４に係る考案によれば、比較的固く、また、帯状の長手方向の切断線のために丸くなる芯地を芯体としてそのままロール状に丸めるので、シワや折り目も生じ易い薄い編織物であっても、シワや折り目も生じない円筒状の小さな梱包体とすることができる。【００１７】  請求項５に係る考案は、前記カーテンロールを収容し、内部を透視可能なドームを形成したブリスター包装容器で梱包していることを特徴としている。【００１８】  上記の構成を有する請求項５に係る考案によれば、シワや折り目が生じないカーテンロールを視認容易な梱包体とすることができる。
【考案の効果】
【００１９】  本考案によれば、オーガンジー調の薄手の編織物からなる襞のないカーテンであっても、室内使用時に揺れることなく保持可能なカーテンを得ることができる。また、シワや折り目も生じず、使用される所定の製品サイズとして梱包可能であり、中身を視認容易なカーテンロール梱包体を得ることができる。
【考案を実施するための最良の形態】
【００２０】  以下、本考案に係るカーテンおよびカーテンロール梱包体の実施の形態について、図１および図２に基づいて詳細に説明する。【００２１】  図１は本考案に係るカーテンの一例を示しており、（ａ）は概略全体図であり、（ｂ）はフック装着部の拡大説明図である。図２には本発明に係るカーテンロール梱包体の一例を示しており、（ａ）は楕円ロール状に丸めたカーテンロールを一体的に梱包した梱包体を示し、（ｂ）は円筒状に丸めたカーテンロールを一体的に梱包した梱包体を示している。【００２２】  図１（ａ）に示すように本考案に係るカーテン１は、例えば襞のない平板状のカーテン地１Ａとカーテン地１Ｂとの二枚のカーテン地を備えている。また、襞のない平板状のカーテン地の上部に帯状の芯地（例えば芯地２、３の二重）を配設して、カーテンフック５を差込可能な空隙部４を断続的に複数設けるようにして、カーテン地と共に縫合した構成としている。前記芯地は一重でもよいが、一重の場合には、芯地とカーテン地との間に、カーテンフック５を差込可能な空隙部４を設けるように縫合することは明らかである。【００２３】  空隙部４は、図１（ｂ）に示すように、縫合部６、６に囲まれて形成されており、カーテンフック５を抜き差し自在とされている。カーテン地１Ａ、１Ｂはオーガンジー調の薄い編織物からなる襞のないカーテン地であって、薄い平板状であり、しかも風情のある模様がプリントされている。そのために、風情のある模様が透けて見えるので、室内ですっきりとした清涼感を得ることができるカーテンとなっている。【００２４】  また、カーテン地１Ａの両側部の鉛直方向の複数箇所に付着部材７（７ａ、７ｂ、７ｃ、７ｄ）を装着している。さらに、カーテン地１Ｂの両側部の鉛直方向の複数箇所に付着部材７ｅ、７ｆ、７ｇ、７ｈを装着している。そして、隣り合う付着部材同士、例えば付着部材７ｃと７ｅとを吸着させ、付着部材７ｄと７ｆとを吸着させて、隣り合うカーテン地１Ａと１Ｂとを吸着させている。【００２５】  さらには、壁体側に第二の付着部材８（８ａ、８ｂ）を設置し、例えば、付着部材７ｂと第二の付着部材８ａとを吸着させて、カーテン地１Ａを揺れないように保持しておく構成である。同様に、第二の付着部材８ｂとカーテン地１Ｂの付着部材７ｈとを吸着させて、カーテン地１Ｂを揺れないように保持しておくことができる。【００２６】  前記付着部材７は、カーテン地に縫い込んだ磁石もしくは面ファスナ式留め具で構成することができる。このような素材で構成される付着部材７は、付着・非付着操作を片手でもワンタッチで行うことが可能となり、カーテンの開け閉めが容易となる。【００２７】  さらに、壁体に第二の付着部材８（８ａ、８ｂ）を設置しておけば、カーテン地を幅方向の両側で保持することが可能となり、揺れやすいオーガンジー調の薄手のカーテン地であっても、しっかりと保持可能となる。そのために、本実施の形態に係るカーテン１であれば、風情のある模様をプリントしておくことで、室内ですっきりとした清涼感を発揮するスクリーン様のカーテンとなる。【００２８】  また、薄手のカーテン地であると共に、比較的固い帯状の芯地（一重もしくは二重）を備えているので、前記芯地を芯体として楕円ロール状に丸めたカーテンロールを形成することができる。そのために、図２により、ロール状に丸めたカーテンロールを一体的に梱包したカーテンロール梱包体について説明する。【００２９】  図２（ａ）に楕円ロール状に丸めたカーテンロール１０Ａを示している。この形態であれば、比較的固い芯地を芯体としてそのままロール状に丸めるので、シワや折り目も生じ易いオーガンジー調の薄い編織物であっても、シワや折り目も生じないカーテンロールとすることができる。【００３０】  図２（ｂ）に示すカーテンロール１０Ｂは、帯状の芯地の長手方向に複数の切断線（例えば、切断線１１Ａ、１１Ｂの二本の切断線）を設けて、前記切断線を介して円筒状に丸めることを可能としたカーテンロールである。【００３１】  それぞれのカーテンロールは、それぞれのカーテンロールを収容し、内部を透視可能なドームを形成したブリスター包装容器で梱包することが可能であり、楕円ロール状に丸めたカーテンロール１０Ａを、長円状のドームを備えるブリスター包装容器２１Ａで梱包してカーテンロール梱包体２０Ａとし、円筒状に丸めたカーテンロール１０Ｂを、円状のドームを備えるブリスター包装容器２１Ｂで梱包したカーテンロール梱包体２０Ｂとすることができる。【００３２】  また、円筒状に丸めたカーテンロールをそのまま、円筒状のケースに梱包してもよく、この構成であれば、さらに梱包容積を小さくすることができ、搬送効率や保管効率を向上することが可能となる。この場合でも、透明なカバーもしくはケースの一部を透明とすることで、中の商品を透視可能となる。【００３３】  上記の構成のカーテンロール梱包体であれば、カーテン地の色合いや模様を梱包状態のままで確認可能となり、商品としての搬送、陳列、商談等が容易に行える梱包体となり好適である。【００３４】  しかも、単品毎に梱包可能であり、必要なサイズで所定の文様のカーテンを選定して贈答品として送ることも容易となる。また、送られた方も、梱包体のまま、外部から中身を確認することができるので、今すぐ使用する予定がなければ、梱包体のままで保存しておき、しばらくして季節が変わり必要な時がきたときに、使用したい文様のカーテンを取り出して使用することもできる。【００３５】  上記したように本考案によれば、オーガンジー調の薄手の編織物からなる襞のないカーテンであっても、カーテン地の両側部の鉛直方向の複数箇所に付着部材を装着し、隣り合うカーテン地の前記付着部材同士、もしくは該付着部材と壁体等に設置する第二の付着部材とを吸着する構成としているので、室内使用時に揺れることなく保持可能なカーテンを得ることができる。また、二重の芯地を芯体として楕円ロール状に丸めたカーテンロールとし、内部を透視可能なドームを形成したブリスター包装容器で梱包する構成としたので、シワや折り目も生じず、使用される所定の製品サイズとして梱包可能であり、中身を視認容易なカーテンロール梱包体を得ることができる。
【図面の簡単な説明】
【００３６】
【図１】  本考案に係るカーテンの一例を示しており、（ａ）は概略全体図であり、（ｂ）はフック装着部の拡大説明図である。
【図２】  本発明に係るカーテンロール梱包休の一例を示しており、（ａ）は楕円ロール状に丸めたカーテンロールを一体的に梱包した梱包体を示し、（ｂ）は円筒状に丸めたカーテンロールを一体的に梱包した梱包体を示している。
【符号の説明】
【００３７】  １  カーテン
１Ａ、１Ｂ  カーテン地
２  芯地
３  芯地
４  空隙部
５  カーテンフック
７  付着部材
８  第二の付着部材
１０Ａ、１０Ｂ  カーテンロール
１１Ａ、１１Ｂ  切断線
２０Ａ、２０Ｂ  カーテンロール梱包体
【図１】
0003119474.tif 000003
【図２】
0003119474.tif 000004